(57)【要約】  【課題】  成形に必要なエネルギのコストを抑えることができる排水栓を提供すること。  【解決手段】  排水口５を閉塞する栓部６を有する栓本体６，７，８を備えた排水栓１において、前記栓部６は、小サイズの排水口５を閉塞できる大きさの小径形状部１４と、この小径形状部１４の外周側に、下向きに形成された１個または複数の環状溝３０，３１を介して隣接した状態で設けられた１個または複数個の大径形状部１６，１８とよりなり、また、前記栓部６は、前記各環状溝３０，３１の底部に剥離可能に形成された薄肉部分１５，１７を有する。【選択図】    図１
2006325888.tif 000002
【特許請求の範囲】
【請求項１】
排水口を閉塞する栓部を有する栓本体を備えた排水栓において、前記栓部は、小サイズの排水口を閉塞できる大きさの小径形状部と、この小径形状部の外周側に、下向きに形成された１個または複数の環状溝を介して隣接した状態で設けられた１個または複数個の大径形状部とよりなり、また、前記栓部は、前記各環状溝の底部に剥離可能に形成された薄肉部分を有することを特徴とする排水栓。
【請求項２】
前記栓部が、上面側よりも下面側が小径に形成されたほぼ円錐台の形状をなし、前記大径形状部が、円錐台形状の前記小径形状部の外周面を覆うよう薄肉部分を介して前記小径形状部に一体に連設されている円錐台形状の外形を有する第１の大径形状部と、第１の大径形状部の外周面を覆うよう薄肉部分を介して第１の大径形状部に一体に連設されている円錐台形状の外形を有する第２の大径形状部とで構成される一方、前記小径形状部の下端面を覆うよう位置する合成樹脂製または金属製の第１の補強カバーと、第１の補強カバー直下に第１の補強カバーとは当接状態で前記第１の大径形状部の下端面を覆うよう位置する合成樹脂製または金属製の第２の補強カバーと、第２の補強カバー直下に第２の補強カバーとは当接状態で前記第２の大径形状部の下端面を覆うよう位置する合成樹脂製または金属製の第３の補強カバーとを設けた請求項１に記載の排水栓。
【請求項３】
必要に応じて切り取られる前記大径形状部は、切り始めの目安となる切欠を周面に有し、さらに、前記環状溝の底部側が先細りのテーパ形状をなす請求項１または２に記載の排水栓。
【発明の詳細な説明】
【技術分野】
【０００１】
この発明は、浴槽や洗面化粧台等に設けた排水口を閉塞する排水栓に関するものである。
【背景技術】
【０００２】
従来この種の排水栓として、下記特許文献１に示すように、円錐台状の栓本体の小径側に、複数個のゴム製の円錐台状カバーを外嵌し、雄ねじ部材と雌ねじ部材により前記栓本体と前記円錐台状カバーとを挟着したものが提案されている。
【０００３】
【特許文献１】特開２００５−９５５８３号公報
【発明の開示】
【発明が解決しようとする課題】
【０００４】
しかし、一つの排水栓を得るのに、排水口の異なるサイズに応じた大きさの複数個のゴム製の円錐台状カバーを栓本体とは別に用意しなければならず、前記カバーの成形に必要なエネルギのコストが嵩む。そして、栓本体、複数個の円錐台状カバーはそれぞれ別物であるので、いずれかの部材を紛失するおそれがある。
【０００５】
この発明は、上述の事柄に留意してなされたもので、その目的は、成形に必要なエネルギのコストを抑えることができる排水栓を提供することである。
【課題を解決するための手段】
【０００６】
上記目的を達成するために、この発明は、排水口を閉塞する栓部を有する栓本体を備えた排水栓において、前記栓部は、小サイズの排水口を閉塞できる大きさの小径形状部と、この小径形状部の外周側に、下向きに形成された１個または複数の環状溝を介して隣接した状態で設けられた１個または複数個の大径形状部とよりなり、また、前記栓部は、前記各環状溝の底部に剥離可能に形成された薄肉部分を有することを特徴とする（請求項１）。
【０００７】
この発明では、前記栓部が、上面側よりも下面側が小径に形成されたほぼ円錐台の形状をなし、前記大径形状部が、円錐台形状の前記小径形状部の外周面を覆うよう薄肉部分を介して前記小径形状部に一体に連設されている円錐台形状の外形を有する第１の大径形状部と、第１の大径形状部の外周面を覆うよう薄肉部分を介して第１の大径形状部に一体に連設されている円錐台形状の外形を有する第２の大径形状部とで構成される一方、前記小径形状部の下端面を覆うよう位置する合成樹脂製または金属製の第１の補強カバーと、第１の補強カバー直下に第１の補強カバーとは当接状態で前記第１の大径形状部の下端面を覆うよう位置する合成樹脂製または金属製の第２の補強カバーと、第２の補強カバー直下に第２の補強カバーとは当接状態で前記第２の大径形状部の下端面を覆うよう位置する合成樹脂製または金属製の第３の補強カバーとを設けるのが好ましい（請求項２）。
【０００８】
また、この発明では、必要に応じて切り取られる前記大径形状部は、切り始めの目安となる切欠を周面に有し、さらに、前記環状溝の底部側が先細りのテーパ形状をなすのが好ましい（請求項３）。  
【発明の効果】
【０００９】
この発明は、排水口を閉塞する栓部を有する栓本体を備えた排水栓において、前記栓部は、小サイズの排水口を閉塞できる大きさの小径形状部と、この小径形状部の外周側に、下向きに形成された１個または複数の環状溝を介して隣接した状態で設けられた１個または複数個の大径形状部とよりなり、また、前記栓部は、前記各環状溝の底部に剥離可能に形成された薄肉部分を有するので、成形に必要なエネルギのコストを削減できる小径形状部と大径形状部の一体型の排水栓を提供できる。
【００１０】
また、この発明は薄肉部分によって小径形状部と１個または複数個の大径形状部が連設された一体型の排水栓であるので、従来のようにいずれかの部材を紛失するおそれがない。
【発明を実施するための最良の形態】
【００１１】
以下、この発明の実施の形態を、図を参照しながら説明する。なお、それによってこの発明は限定されるものではない。
【００１２】
図１〜図６は、この発明の一実施例を示す。
図１〜図６において、１は排水栓で、チェーン２を介して例えば浴槽３に設けられており、浴槽３に湯水を溜めるときなどに浴槽３の底部４の隅に形成された種々の大きさの排水口５を必要に応じて閉塞するのに使用される。排水栓１は、上面Ａ側よりも下面Ｂ側が小径に形成されたほぼ円錐台形状の栓部６、この栓部６から栓部上面Ａ側に連設され栓部上面Ａの径よりも大きな径を有する外向きフランジ７およびこのフランジ７と栓部６を繋ぐ小径の連設部８よりなるゴム製の栓本体と、栓本体６，７，８の中央を上下の円錐台軸心方向に沿って貫通するよう形成された貫通穴９に上方からはめ込まれるフランジ１０付きの雌ねじ部材１１と、貫通穴９に下方からはめ込まれ雌ねじ部材１１に螺合する雄ねじ部材１２と、雌ねじ部材１１の上方突出端部１１ａに設けた取り付け穴１３を介して雌ねじ部材１１に連結される前記チェーン２とから構成される。
【００１３】
以下、浴槽３に形成される種々の大きさの排水口４の径が例えば大中小の三種類ある場合に対応できる排水栓１について説明する。
【００１４】
前記栓部６は、最小サイズの排水口４を閉塞できる大きさの円錐台形状の小径形状部１４と、小径形状部１４の外周面１４ａを覆うよう、環状で内側に位置する薄肉部分１５を介して小径形状部１４に一体に連設されている円錐台形状の外形を有する第１の大径形状部１６と、第１の大径形状部１６の外周面１６ａを覆うよう、薄肉部分１５よりも外側に位置する環状の薄肉部分１７を介して第１の大径形状部１６に一体に連設されている第２の大径形状部１８とを有する。前記薄肉部分１５，１７は、必要に応じて剥離可能に形成されている。１９は小径形状部１４のつかみ代で、両矢印Ｅで示す方向に段差状に形成された下部外周端面と円形の下面Ｂ1 を有する。２０は第１の大径形状部１６のつかみ代で、Ｅ方向に段差状に形成された下部外周端面とリング状の下面Ｂ2 を有する。２１は第２の大径形状部１８のつかみ代で、Ｅ方向に段差状に形成された下部外周端面とリング状の下面Ｂ3 を有する。すなわち、この実施例の栓部６では、小径形状部１４の外周側に下向きに形成された環状溝３０を介して小径形状部１４に隣接した状態で第１の大径形状部１６が設けられ、環状溝３０よりも外側に下向きに形成された環状溝３１を介して第１の大径形状部１６に隣接した状態で第２の大径形状部１８が設けられている。そして、前記薄肉部分１５，１７は、前記各環状溝３０，３１の底部に形成されている。すなわち、前記薄肉部分１５，１７は、環状溝３０，３１の底と栓部６の上面Ａとの間で縦方向（上下方向）に形成されている。
【００１５】
そして、小径形状部１４の下端面、すなわち、つかみ代１９の下部外周端面と円形の下面Ｂ1 を覆う平面視円形で縦断面凹状の合成樹脂製または金属製の第１の補強カバー２２が設けられている。また、第１の補強カバー２２直下に第１の補強カバー２２とは当接状態で第１の大径形状部１６の下端面、すなわち、つかみ代２０の下部外周端面とリング状の下面Ｂ2 を覆う平面視円形で縦断面凹状の合成樹脂製または金属製の第２の補強カバー２３が設けられている。また、第２の補強カバー２３直下に第２の補強カバー２３とは当接状態で第２の大径形状部１８の下端面、すなわち、つかみ代２１の下部外周端面とリング状の下面Ｂ3 を覆う平面視円形で縦断面凹状の合成樹脂製または金属製の第３の補強カバー２４が設けられている。各補強カバー２２，２３，２４は雄ねじ部材１２が挿通可能な挿通孔２２ａ，２３ａ，２４ａを有する。
【００１６】
さらに、必要に応じて切り取られる前記第２の大径形状部１８および第１の大径形状部１６は、それぞれ、切り始めの目安となる切欠２５，２６を周面に有する。２７は切欠２５の直上に形成された縦長の間隙で、環状溝３１の幅よりも広い幅を径方向に有する。また、２８は切欠２６の直上に形成された縦長の間隙で、環状溝３０の幅よりも広い幅を径方向に有する。
【００１７】
而して、浴槽３に形成される種々の大きさの排水口４の径が大中小の三種類のうち大の場合には、栓本体６，７，８を図１および図４に示す状態で使用することにより、排水口５を閉塞することができる。
また、排水口４の径が大中小の三種類のうち中の場合には、図１および図４における第３の補強カバー２４を取り外した後、図３に示すような状態にし、続いて、切欠２５を介して手で第２の大径形状部１８を剥がし、栓本体６，７，８を図５に示す状態で使用することにより、排水口５を閉塞することができる。この場合、環状溝３１と薄肉部分１７とでスムーズに第２の大径形状部１８を栓部６から剥がすことができる。
さらに、排水口４の径が大中小の三種類のうち小の場合には、図５に示すような状態から、第２の補強カバー２３を取り外した後、切欠２６を介して手で第１の大径形状部１６を剥がし、栓本体６，７，８を図６に示す状態で使用することにより、排水口５を閉塞することができる。この場合、環状溝３０と薄肉部分１５とでスムーズに第１の大径形状部１６を栓部６から剥がすことができる。
【００１８】
なお、前記環状溝３０，３１の底部側を、上方に向かって外側から内側に傾斜しながら薄肉部分１５，１７に至る先細りのテーパ形状をなすよう形成した場合、前記薄肉部分１５，１７を、縦方向（上下方向）に、より薄肉に形成することができ、大径形状部１８，１６を栓本体６からさらに剥がし易くできる。
【００１９】
また、小径形状部１４の下端面、第１の大径形状部１６の下端面および第２の大径形状部１８の下端面にそれぞれ、合成樹脂製または金属製の第１，２および３の補強カバー２２，２３および２４を設けたので、排水口に従来のようにゴム製の円錐台状カバーをはめ込む場合に比べて、この発明の方が補強カバー２２，２３および２４によって栓本体６，７，８を排水口５にスムーズに装着でき、さらに、補強カバー２２，２３および２４によって小径形状部１４、第１の大径形状部１６、第２の大径形状部１８の各下端面を保護することができ、劣化し難くできる。
【図面の簡単な説明】
【００２０】
【図１】この発明の一実施例を示す要部縦断面図である。
【図２】図１におけるｃ−ｃ断面図である。
【図３】上記実施例における使用の手順を示す図である。
【図４】排水口の径が小の場合に用いられる栓本体を示す構成説明図である。
【図５】排水口の径が中の場合に用いられる栓本体を示す構成説明図である。
【図６】排水口の径が大の場合に用いられる栓本体を示す構成説明図である。
【符号の説明】
【００２１】
１          排水栓
３          浴槽
５          排水口
６          栓部
６，７，８  栓本体
１４        小径円錐台形状部
１６        第１の大径中空円錐台形状部
１５，１７  切り取り部分
１８        第２の大径中空円錐台形状部
３０，３１  環状溝
【図１】
2006325888.tif 000003
【図２】
2006325888.tif 000004
【図３】
2006325888.tif 000005
【図４】
2006325888.tif 000006
【図５】
2006325888.tif 000007
【図６】
2006325888.tif 000008